(57)【要約】【課題】温度調節器を容易に後付け可能であり、また、使用者が動いた際の温度調節器と服本体との位置ずれを防止できる衣服を提供する。【解決手段】使用者が着用する服本体２の内側に長手方向一端の取付端部１１ａが取り付けられた帯状のバンド１１と、服本体２の内側に取り付けられ、服本体２の裾口布５とバンド１１との間に送風ファン２０を配置した状態でバンド１１を挿通可能な第１ループ部１２と、バンド１１の先端部１１ｂの表面に設けられた第１係止部１４と、バンド１１の取付端部１１ａの表面に設けられ、第１係止部１４が係止される第２係止部１５と、を備える構成とした。【選択図】図２
2019002084.tif 000002
【特許請求の範囲】
【請求項１】
使用者が着用する服本体の内側に長手方向一端の取付端部が取り付けられた帯状のバンドと、
前記服本体の内側に取り付けられ、前記服本体の生地と前記バンドとの間に温度調節器を配置した状態で前記バンドを挿通可能な第１ループ部と、
前記バンドの先端部の表面に設けられた第１係止部と、
前記バンドの前記取付端部の表面に設けられ、前記第１係止部が係止される第２係止部と、
を備えたことを特徴とする衣服。
【請求項２】
請求項１に記載された衣服において、
前記服本体は、前記バンドの固定位置と前記第１ループ部の固定位置との間に、前記服本体の生地を伸縮可能な伸縮部を有する
ことを特徴とする衣服。
【請求項３】
請求項１又は請求項２に記載された衣服において、
前記バンドは、前記服本体の下端部に取り付けられると共に、前記下端部に沿って延在し、
前記第１ループ部は、前記服本体の下端部に取り付けられ、
前記服本体の下端部の内側には、前記バンドの固定位置と前記第１ループ部の固定位置との間に、前記バンドを挿通可能な第２ループ部が取り付けられている
ことを特徴とする衣服。
【請求項４】
請求項１から請求項３のいずれか一項に記載された衣服において、
前記服本体の内側には、前記温度調節器に電力供給するバッテリを収納可能なポケットが取り付けられている
ことを特徴とする衣服。
【発明の詳細な説明】
【技術分野】
【０００１】
本願発明は、携帯用送風ファン等の温度調節器が取り付けられる衣服に関するものである。
【背景技術】
【０００２】
従来、着用した使用者の身体を冷却等する衣服が知られている（例えば、特許文献１参照）。また、使用者のベルトに固定し、送風口を使用者が着用した上着の中に差し込んで使用する携帯用送風機が知られている（例えば、特許文献２参照）。
【先行技術文献】
【特許文献】
【０００３】
【特許文献１】特開２０１７−０１４６４４号公報
【特許文献２】特開２００７−２３９６２５号公報
【発明の概要】
【発明が解決しようとする課題】
【０００４】
しかしながら、特許文献１に記載の衣服では、使用者が着用する服本体に切込みを開け、この切込みの内側に送風ファン等の温度調節器を固定する。そのため、服本体に開けた切込みの周縁に縫製処理が必要になり、服本体に対して温度調節器を容易に後付けすることが難しいという問題がある。また、冬季は送風ファンが不要であり、重い等の理由から送風ファンを外して使用することがある。しかしこの場合では、服本体に開けた切込みが暖気の逃げ口となってしまい、防寒機能を保つことができない問題がある。なお、この問題は、切込みの外表面にフラップ状の生地を設けたり、前記切込みの周囲に面ファスナ等の係止具を使用し、別途蓋材によって切込みをふさぐ等の処理により解消可能である。しかし、衣服の構造が複雑化したり、衣服の外観を損ねる等の問題が生じる。
一方、特許文献２に記載の使用者のベルトに固定する携帯用送風機では、使用者が体を動かした際に送風口と上着との相対的な位置関係がずれてしまう。そのため、送風口が上着の中から外に出てしまうことがある。
【０００５】
本発明は、上記問題に着目してなされたもので、温度調節器を容易に後付け可能であり、また、使用者が動いた際の温度調節器と服本体との位置ずれを防止できる衣服を提供することを目的とする。
【課題を解決するための手段】
【０００６】
上記目的を達成するため、本発明の衣服は、使用者が着用する服本体の内側に一端が取り付けられた帯状のバンドと、前記服本体の内側に取り付けられ、前記服本体の生地と前記バンドとの間に温度調節器を配置した状態で前記バンドを挿通可能な第１ループ部と、前記バンドの先端部の表面に設けられた第１係止部と、前記バンドの取付端部の表面に設けられ、前記第１係止部が係止される第２係止部と、を備えている。
【発明の効果】
【０００７】
すなわち、本発明では、バンドと服本体の生地との間に温度調節器を配置し、この状態でバンドの先端部をループ部に挿通する。そして、ループ部に挿通されたバンドの先端部を折り返す。これにより、バンドの先端部の表面をバンドの取付端部の表面に対向させ、バンドの先端部に設けられた第１係止部を、バンドの取付端部に設けられた第２係止部に係止することで、バンドの先端部を固定する。このため、バンドと生地との間に温度調節器を保持することができる。また、第１係止部を第２係止部から解放すれば、バンドと生地との間から温度調節器を取り外すことができる。さらに、温度調節器は服本体に対して保持される。このため、使用者の動きに応じて服本体が動いても、温度調節器と服本体との相対的な位置関係がずれることがない。
よって、本発明の衣服では、温度調節器を容易に後付け可能であり、また、使用者が動いた際の温度調節器と服本体との位置ずれを防止することができる。
【図面の簡単な説明】
【０００８】
【図１】実施例１の衣服の外観を示す平面図である。
【図２】実施例１の衣服の内側を示す平面図である。
【図３Ａ】実施例１のファン保持部を示す平面図である。
【図３Ｂ】実施例１のファン保持部を下方から見たときの説明図である。
【図４】実施例１の衣服に取り付けられる送風ファンを示す外観斜視図である。
【図５Ａ】実施例１の衣服へのファン取付時の準備手順を示す説明図である。
【図５Ｂ】実施例１の衣服へのファン取付時のファン配置手順を示す説明図である。
【図５Ｃ】実施例１の衣服へのファン取付時のバンド配置手順を示す説明図である。
【図５Ｄ】実施例１の衣服へのファン取付時のバンド挿通手順を示す説明図である。
【図５Ｅ】実施例１の衣服へのファン取付時のバンド固定手順を示す説明図である。
【図６Ａ】送風ファン取付状態の実施例１の衣服の要部平面図である。
【図６Ｂ】送風ファン取付状態の実施例１の衣服の要部を下方から見たときの説明図である。
【図７Ａ】ファン不使用時のバンド収納状態の実施例１の衣服の要部平面図である
【図７Ｂ】バンド収納状態の実施例１の衣服の要部を下方から見たときの説明図である。
【発明を実施するための形態】
【０００９】
以下、本発明の衣服を実施するための形態を、図面に示す実施例１に基づいて説明する。
【００１０】
（実施例１）
先ず、実施例１における衣服の構成を、「服本体の全体構成」、「ファン保持部の詳細構成」、「送風ファンの構成」に分けて説明する。
【００１１】
［服本体の全体構成］
図１は、実施例１の衣服の外観を示す平面図である。図２は、実施例１の衣服の内側を示す平面図である。以下、図１及び図２に基づいて、実施例１の衣服の服本体の全体構成を説明する。
【００１２】
実施例１の衣服１は、図１に示すように、使用者が上半身に着る上着（ジャンパー）となる服本体２と、服本体２の内側に設けられたファン保持部１０（図２参照）と、を備えている。
【００１３】
服本体２は、綿や化繊等で織られた布や、不織布等からなる生地によって形成され、使用者の胴体を覆う身頃３と、身頃３に縫い付けられて使用者の腕を覆う一対の袖４，４と、を有している。ここで、身頃３は、使用者の背中を覆う後身頃３ａ（図２参照）と、使用者の胴体の前側を覆う前身頃３ｂと、を有している。なお、前身頃３ｂは、右前身頃３ｃと左前身頃３ｄとから構成され、ファスナー３ｅ（図２参照）を介して開閉可能となっている。
【００１４】
また、服本体２の裾（下端部）２ａには、身頃３の全周にわたって帯状の裾口布５が縫い付けられている。この裾口布５は、服本体２の裾２ａをくるんだ状態で固定されており、部分的に伸縮可能なゴムテープ（不図示）が内蔵されている。ゴムテープは、伸長状態で裾口布５に固定されている。そのため、裾口布５は、図１及び図２において破線で囲んだゴムテープが内蔵された部分が、ゴムテープによって収縮し、外部から引っ張られることで伸長する。すなわち、裾口布５のうち、ゴムテープが内蔵された部分が、服本体２の生地を伸縮可能な伸縮部６となる。実施例１では、伸縮部６は、右前身頃３ｃと後身頃３ａとの境界位置Ｘを挟んだ前後の領域と、左前身頃３ｄと後身頃３ａとの境界位置Ｙを挟んだ前後の領域に形成されている。
【００１５】
さらに、この服本体２の右前身頃３ｃ及び左前身頃３ｄには、それぞれ切込み７ａが形成されている。そして、この切込み７ａの開口縁部に、袋状のポケット布７の開口縁部が縫い付け固定されている。ここで、ポケット布７は、服本体２の内側に配置されている。また、左前身頃３ｄに縫い付け固定されたポケット布７は、図２に示すように、上端部７ｂを除いた周縁部が左前身頃３ｄの内側に縫い付け固定されている。そして、ポケット布７と左前身頃３ｄとの間には、小物等を収容可能なポケットＰが形成されている。
【００１６】
ファン保持部１０は、温度調節器である送風ファン２０（図４参照）を保持する部分である。このファン保持部１０は、服本体２の内側であって、裾口布５に設けられている。ここでは、左前身頃３ｄと後身頃３ａとの境界位置Ｙの下方に位置する伸縮部６に設けられている（図２参照）。
【００１７】
［ファン保持部１０の詳細構成］
図３Ａは、実施例１のファン保持部を示す平面図であり、図３Ｂは、実施例１のファン保持部を下方から見たときの説明図である。以下、図３Ａ及び図３Ｂに基づいて、実施例１のファン保持部１０の詳細構成を説明する。
【００１８】
実施例１の衣服１が有するファン保持部１０は、図３Ａに示すように、バンド１１と、第１ループ部１２と、第２ループ部１３と、第１係止部１４と、第２係止部１５と、を備えている。
【００１９】
バンド１１は、帯状の布材であり、ここでは、裾口布５を形成する布と同じ材質によって形成されている。このバンド１１は、服本体２の裾２ａに沿って延在されると共に、伸縮部６に重なった状態で、長手方向一端の取付端部１１ａが裾口布５に縫い付け固定されている。ここで、取付端部１１ａの固定位置は、伸縮部６の端部にほぼ一致している。
【００２０】
第１ループ部１２は、短冊状の布材であり、ここでは、裾口布５を形成する布と同じ材質によって形成されている。この第１ループ部１２は、長手方向がバンド１１の長手方向に対して直交するように配置されている。そして、この第１ループ部１２は、長手方向の両端部１２ａ，１２ｂのそれぞれが、裾口布５に縫い付け固定されている。また、この第１ループ部１２の長手方向の寸法は、バンド１１の短手方向の寸法よりも長くなっている。これにより、第１ループ部１２と裾口布５との間に、バンド１１が挿入可能である。
ここで、第１ループ部１２の固定位置は、伸縮部６の中間部であって、服本体２の生地（裾口布５）とバンド１１との間に送風ファン２０を配置した状態で、この第１ループ部１２にバンド１１を挿通可能な位置に設定されている。
【００２１】
第２ループ部１３は、短冊状の布材であり、ここでは、裾口布５を形成する布と同じ材質によって形成されている。この第２ループ部１３は、長手方向がバンド１１の長手方向に対して直交するように配置されている。そして、この第２ループ部１３は、長手方向の両端部１３ａ，１３ｂのそれぞれが、裾口布５に縫い付け固定されている。また、この第２ループ部１３の長手方向の寸法は、バンド１１の短手方向の寸法よりも長くなっている。これにより、第２ループ部１３と裾口布５との間に、バンド１１が挿入可能である。
ここで、第２ループ部１３の固定位置は、伸縮部６の中間部であって、バンド１１の固定位置と第１ループ部１２の固定位置との間の位置に設定されている。
【００２２】
第１係止部１４は、雄型面ファスナーである。この第１係止部１４は、バンド１１の長手方向他端の先端部１１ｂの表面に設けられている。ここで、「バンド１１の表面」とは、服本体２を使用者が着用した際、使用者に対向する面である。
【００２３】
第２係止部１５は、雌型面ファスナーであり、雄型面ファスナーである第１係止部１４が係止される。この第２係止部１５は、バンド１１の取付端部１１ａの表面に設けられている。
【００２４】
「送風ファンの構成」
図４は、実施例１の衣服に取り付けられる送風ファンを示す外観斜視図である。以下、図４に基づいて、実施例１の送風ファンの構成を説明する。
【００２５】
実施例１の衣服１に取り付けられる送風ファン２０は、衣服１の内部に外からの空気を送り込み、衣服１内の温度調節を図る温度調節器である。この送風ファン２０は、使用者が携帯可能な大きさであり、図４に示すように、ハウジング２１と、このハウジング２１に内蔵されたフィン２２及び電動モータ２３と、電動モータ２３に給電するバッテリ２４と、を備えている。
【００２６】
ハウジング２１は、両端が開放した円筒形状を呈し、両端の開口部２１ａ，２１ｂには、それぞれ格子２１ｃが設けられている。また、このハウジング２１は、一方の開口部２１ａが空気を吸い込む吸気口となり、他方の開口部２１ｂが空気を排出する送風口となる。
【００２７】
フィン２２は、いわゆるプロペラタイプの羽であり、電動モータ２３によって回転駆動される。このフィン２２の回転によって、ハウジング２１の一方の開口部２１ａから空気が吸い込まれ、他方の開口部２１ｂから吸い込んだ空気が排出される。
【００２８】
バッテリ２４は、ほぼ直方体形状を呈し、一次電池や二次電池等の蓄電池を有している。このバッテリ２４には、電動モータ２３への給電を開始するＯＮスイッチ２４ａや、電動モータ２３への給電を停止するＯＦＦスイッチ２４ｂ等が設けられている。ＯＮスイッチ２４ａをＯＮ操作することで、バッテリ２４から電動モータ２３へと電力供給が開始される。電力供給がなされた電動モータ２３は作動し、フィン２２を回転駆動する。これにより、ハウジング２１の他方の開口部２１ｂから送風される。また、ＯＦＦスイッチ２４ｂをＯＮ操作することで、バッテリ２４から電動モータ２３への電力供給が停止される。電力供給が停止された電動モータ２３は作動を停止し、フィン２２は回転を停止する。これにより、ハウジング２１からの送風が停止される。
なお、バッテリ２４と電動モータ２３とは、コード２５を介して電気的に接続されている。
【００２９】
次に、作用を説明する。
まず、実施例１の衣服１における送風ファン２０の取付手順を説明する。続いて、実施例１の衣服１の作用を「送風ファン取付作用」、「バンド収納作用」に分けて説明する。
【００３０】
［送風ファン取付手順］
図５Ａ〜図５Ｅは、実施例１の衣服へのファン取付手順を示す説明図である。以下、図５Ａ〜図５Ｅに基づいて、実施例１の衣服１への送風ファンの取付手順を説明する。
【００３１】
実施例１の衣服１に対し、ファン保持部１０を介して送風ファン２０を取り付けるには、まず、前身頃３ｂが上になった状態で服本体２を作業台等に載置する。そして、ファスナー３ｅを引き下げて前身頃３ｂを分割し、左前身頃３ｄをめくって服本体２の内側を露出する。
【００３２】
そして、図５Ａに示す準備手順において、バンド１１に設けた第１係止部１４と第２係止部１５との係止状態を解除する。さらに、取付端部１１ａを中心にして、このバンド１１の先端部１１ｂをめくり上げる。これにより、伸縮部６及び第１，第２ループ部１２，１３が露出する。
【００３３】
続いて、図５Ｂに示すファン配置手順において、送風ファン２０を服本体２の裾口布５の上に載置する。このとき、送風ファン２０は、バンド１１の固定位置と第１ループ部１２の固定位置との間に載置される。これにより、第２ループ部１３は、送風ファン２０の下敷きになる。また、この送風ファン２０は、吸気口となる一方の開口部２１ａが下方に向き、送風口となる他方の開口部２１ｂが上方に向くように配置される。さらに、このとき、バッテリ２４は、図示しないがポケットＰの内部に収容される。
【００３４】
次に、図５Ｃに示すバンド配置手順において、バンド１１を送風ファン２０のハウジング２１の上にかぶせる。これにより、服本体２の裾口布５とバンド１１との間に送風ファン２０が配置されることになる。
【００３５】
そして、図５Ｄに示すバンド挿通手順において、バンド１１の先端部１１ｂを第１ループ部１２に挿通する。このとき、裾口布５を送風ファン２０のハウジング２１の外周面に沿って変形させ、第１ループ部１２をバンド１１の取付端部１１ａ側に引き寄せる。
【００３６】
最後に、図５Ｅに示すバンド固定手順において、第１ループ部１２に挿通されたバンド１１の先端部１１ｂを折り返し、この先端部１１ｂの表面をバンド１１の取付端部１１ａの表面に対向させる。そして、第１係止部１４を第２係止部１５に押し付けて、この第１係止部１４を第２係止部１５に係止する。
【００３７】
［送風ファン取付作用］
図６Ａは、送風ファン取付状態の実施例１の衣服の要部平面図であり、図６Ｂは、送風ファン取付状態の実施例１の衣服の要部を下方から見たときの説明図である。以下、図６Ａ及び図６Ｂに基づいて、実施例１の衣服１の送風ファン取付作用を説明する。
【００３８】
実施例１の衣服１では、上述の手順により、ファン保持部１０を介して携帯型の送風ファン２０を服本体２に取り付ける。すなわち、図６Ａに示すように、第１ループ部１２に挿通されたバンド１１の先端部１１ｂが折り返されて、バンド１１の取付端部１１ａに固定されることで、バンド１１に対して裾口布５が引き寄せられ、服本体２の裾口布５とバンド１１との間に送風ファン２０を挟持することができる。これにより、送風ファン２０を服本体２の裾２ａに取り付けることができる。
【００３９】
また、第１係止部１４を第２係止部１５から剥がし、両者の係止状態を解放することで、バンド１１の先端部１１ｂが自由になる。そのため、バンド１１と裾口布５との間から送風ファン２０を取り外すことができる。
【００４０】
また、この実施例１では、送風ファン２０を保持するために、第１，第２係止部１４，１５が設けられたバンド１１と、このバンド１１の先端部１１ｂを挿通可能な第１ループ部１２と、が必要である。しかしながら、このバンド１１及び第１ループ部１２は、服本体２の内側に縫い付け固定されるだけなので、服本体２の身頃３等に切込みを設ける必要はない。つまり、切込みの周縁の縫製処理等の服本体２の大幅な改造は不要であり、既存の作業着等の服本体２に対して、ファン保持部１０（バンド１１及び第１ループ部１２）を容易に後付けすることができる。
【００４１】
このように、ファン保持部１０（バンド１１及び第１ループ部１２）自体を服本体２に対して容易に後付け可能であると共に、このファン保持部１０を介して携帯用の送風ファン２０を服本体２に対し容易に着脱することができる。よって、この実施例１の衣服１では、送風ファン２０を服本体２に容易に後付け可能にすることができる。そして、既存の衣服をファン付の衣服として容易に活用することが可能となる。
【００４２】
また、送風ファン２０は、ファン保持部１０によって、服本体２の内側に取り付けられる。そのため、服本体２を着用した使用者の動きに応じて服本体２が動いた際、服本体２と共にファン保持部１０が移動し、当然ながら送風ファン２０も移動する。つまり、送風ファン２０と服本体２との相対的な位置関係がずれることがない。
【００４３】
そして、このように使用者が動いた際の送風ファン２０と服本体２との位置ずれを防止できることで、送風ファン２０の送風口となるハウジング２１の開口部２１ｂが、服本体２の外に出てしまうことが防止される。この結果、服本体２の内側に対して、安定的に送風可能にすることができる。
【００４４】
しかも、バンド１１及び第１ループ部１２は、服本体２の内側に固定されるので、服本体２の外観からは目視することができない。そのため、この衣服１は、送風ファン２０を取り外した状態で、一般的な衣服として使用することが可能である。
なお、衣服に送風ファン２０を固定するための切込みを形成した場合では、送風ファン２０を取り外すと、衣服に切込みが開いた状態になってしまう。そのため、送風ファン２０を外した状態で一般的な衣服として使用することはできない。
【００４５】
また、この実施例１では、バンド１１の取付端部１１ａの固定位置が、伸縮部６の端部にほぼ一致している。一方、第１ループ部１２の固定位置は、伸縮部６の中間部となっている。そのため、取付端部１１ａの固定位置と第１ループ部１２の固定位置との間に、裾口布５を伸縮可能な伸縮部６が設けられることになる。
【００４６】
これにより、バンド１１を第１ループ部１２に挿通する際、取付端部１１ａの固定位置と第１ループ部１２との間の伸縮部６が伸長されるが、このとき、この伸縮部６には、ゴムテープの収縮力によって縮もうとする力が働く。そのため、図６Ｂに示すように、伸縮部６は、送風ファン２０のハウジング２１の外周面に沿って引き寄せられる。これにより、送風ファン２０と服本体２との間に隙間を生じにくくすることができる。この結果、送風ファン２０から送風された空気が服本体２の外部に流出することを抑制できる。また、送風ファン２０と服本体２との間に隙間を生じにくいことで、送風ファン２０の脱落を防止することができる。
【００４７】
さらに、この実施例１では、衣服の左前身頃３ｄの内側に、ポケット布７の上端部７ｂを除いた周縁部が縫い付け固定され、このポケット布７と左前身頃３ｄとの間にポケットＰが形成されている。
【００４８】
そのため、図６Ａに示すように、このポケットＰの中に送風ファン２０のバッテリ２４を収容することができる。これにより、バッテリ２４の脱落を防止すると共に、このバッテリ２４が邪魔になることを防止できる。
【００４９】
［バンド収納作用］
図７Ａは、ファン不使用時のバンド収納状態の実施例１の衣服の要部平面図であり、図７Ｂは、バンド収納状態の実施例１の衣服の要部を下方から見たときの説明図である。以下、図７Ａ及び図７Ｂに基づいて、実施例１の衣服１におけるバンド収納作用を説明する。
【００５０】
実施例１の衣服１では、送風ファン２０を保持するファン保持部１０が、服本体２の裾２ａ（下端部）に縫い付けられた裾口布５に設けられている。そのため、送風ファン２０を服本体２の裾２ａの近傍に保持することができ、送風ファン２０が使用者の邪魔になることなく、外部の空気を取り込みやすくすることができる。また、服本体２の裾２ａから送風することで、使用者の上半身のほぼ全体に対して、送風ファン２０から送られる外部の空気を当てることが可能になり、服本体２の内部の温度調節効率の向上を図ることができる。
【００５１】
しかしながら、バンド１１が、裾２ａに沿って延在されている。そのため、このバンド１１は、送風ファン２０を保持しない状態では、先端部１１ｂが下方に垂れ下がり、裾２ａから服本体２の外部に出てしまう。
【００５２】
これに対し、実施例１の衣服１では、裾口布５の内側であって、バンド１１の取付端部１１ａの固定位置と、第１ループ部１２の固定位置との間に、第２ループ部１３が取り付けられている。
【００５３】
そのため、図７Ｂに示すように、バンド１１の先端部１１ｂをこの第２ループ部１３に挿通してから折り返し、第１係止部１４を第２係止部１５に係止することで、バンド１１の両端部が裾口布５の保持された状態になる。これにより、バンド１１が裾２ａから垂れ下がることを防止して、服本体２の内側に収納することができる。
【００５４】
なお、第２ループ部１３を設けず、単にバンド１１の先端部１１ｂを折り返し、第１係止部１４を第２係止部１５に係止した状態を考える。この場合では、折り返したことでバンド１１の全長は短くなるものの、取付端部１１ａのみが裾口布５に固定されており、折り返し部分は自由になっている。そのため、バンド１１の裾２ａからの垂れ下がりを確実に防止することはできない。バンド１１の長さや材質によっては、折り返した場合であっても、バンド１１が裾２ａから垂れ下がることはある。
【００５５】
しかしながら、実施例１の衣服１では、第２ループ部１３にバンド１１の先端部１１ｂを挿通してから折り返すため、この第２ループ部１３によってバンド１１の折り返し部分を保持することができる。これにより、バンド１１の垂れ下がりを確実に防止することができる。
【００５６】
次に、効果を説明する。
実施例１の衣服１にあっては、下記に列挙する効果を得ることができる。
【００５７】
(1) 使用者が着用する服本体２の内側に長手方向一端の取付端部１１ａが取り付けられた帯状のバンド１１と、
前記服本体２の内側に取り付けられ、前記服本体２の生地（裾口布５）と前記バンド１１との間に温度調節器（送風ファン２０）を配置した状態で前記バンド１１を挿通可能な第１ループ部１２と、
前記バンド１１の先端部１１ｂの表面に設けられた第１係止部１４と、
前記バンド１１の前記取付端部１１ａの表面に設けられ、前記第１係止部１４が係止される第２係止部１５と、を備える構成とした。
これにより、温度調節器（送風ファン２０）を容易に後付け可能であり、また、使用者が動いた際の温度調節器（送風ファン２０）と服本体２との位置ずれを防止できる。
【００５８】
(2) 前記服本体２は、前記バンド１１の固定位置と前記第１ループ部１２の固定位置との間に、前記服本体２の生地（裾口布５）を伸縮可能な伸縮部６を有する構成とした。
これにより、(1)の効果に加え、温度調節器（送風ファン２０）を取り付けた際、この温度調節器（送風ファン２０）と服本体２との間に隙間を生じにくくすることができる。
【００５９】
(3) 前記バンド１１は、前記服本体２の下端部（裾２ａ）に取り付けられると共に、前記下端部（裾２ａ）に沿って延在し、
前記第１ループ部１２は、前記服本体２の下端部（裾２ａ）に取り付けられ、
前記服本体２の下端部（裾２ａ）の内側には、前記バンド１１の固定位置と前記第１ループ部１２の固定位置との間に、前記バンド１１を挿通可能な第２ループ部１３が取り付けられている構成とした。
これにより、(1)又は(2)の効果に加え、服本体２の内部の温度調節効率の向上を図ることができると共に、バンド１１が服本体２の下端部（裾２ａ）から垂れ下がることを防止できる。
【００６０】
(4) 前記服本体２の内側には、前記温度調節器（送風ファン２０）に電力供給するバッテリ２４を収納可能なポケットＰが取り付けられている構成とした。
これにより、(1)〜(3)のいずれかの効果に加え、バッテリ２４の脱落を防止すると共に、このバッテリ２４が邪魔になることを防止できる。
【００６１】
以上、本発明の衣服１を実施例１に基づき説明してきたが、具体的な構成については、この実施例に限られるものではなく、特許請求の範囲の各請求項に係る発明の要旨を逸脱しない限り、設計の変更や追加等は許容される。
【００６２】
実施例１では、服本体２として、使用者が上半身に着用する上着を適用した例を示したが、これに限らない。例えば、使用者が下半身に着用するズボンや、裾の長いコート等であっても、本発明の衣服とすることができる。
【００６３】
また、実施例１では、ファン保持部１０を服本体２の下端部（裾２ａ）に設けた例を示したがこれに限らない。例えば、使用者の背中に対向する位置や、胸に対向する位置、袖口等、任意の位置に設けることが可能である。さらに、このファン保持部１０を、服本体２の内側に複数設けてもよい。その場合では、使用者の要求に応じて複数の送風ファン２０を取り付けることが可能となる。
【００６４】
また、実施例１では、バッテリ２４を収納するポケットＰを、袋状のポケット布７と左前身頃３ｄとの間に形成する例を示した。しかしながら、これに限らず、例えば胸ポケットを形成するポケット布の側面にポケットＰを設けてもよいし、身頃３の内側に、直接ポケットとなる布片を縫い付け固定してもよい。なお、このポケットＰについては、服本体２の内側に形成されていなくてもよい。
【００６５】
さらに、実施例１では、送風ファン２０が、円筒状のハウジング２１を有する例を示したが、これに限らない。例えば、送風ファン２０のハウジング２１の外周面にバンド１１に係合可能な係合片が設けられていてもよい。この場合では、係合片をバンド１１に係合させることで、この送風ファン２０の脱落をさらに防止することができる。
【００６６】
また、実施例１では、温度調節器として、取り込んだ空気を排出する送風ファン２０とする例を示したが、これに限らない。この温度調節器は、例えば、冷風や温風を排出可能な携帯型の空調装置であってもよい。
【００６７】
そして、実施例１では、バンド１１に設けた第１係止部１４を雌型面ファスナーにて形成し、第２係止部１５を雄型面ファスナーにて形成した例を示したが、これに限らない。バンド１１の先端部１１ｂを、取付端部１１ａに固定することができればよいので、カギフックと輪、スナップボタン組、ボタンとボタンホール又はループ等であってもよい。
【符号の説明】
【００６８】
１  衣服
２  服本体
２ａ  裾（下端部）
３  身頃
３ｄ  左前身頃
５  裾口布
６  伸縮部
７  ポケット布
Ｐ  ポケット
１０  ファン保持部
１１  バンド
１１ａ  取付端部
１１ｂ  先端部
１２  第１ループ部
１３  第２ループ部
１４  第１係止部
１５  第２係止部
２０  送風ファン（温度調節器）
【図１】
2019002084.tif 000003
【図２】
2019002084.tif 000004
【図３Ａ】
2019002084.tif 000005
【図３Ｂ】
2019002084.tif 000006
【図４】
2019002084.tif 000007
【図５Ａ】
2019002084.tif 000008
【図５Ｂ】
2019002084.tif 000009
【図５Ｃ】
2019002084.tif 000010
【図５Ｄ】
2019002084.tif 000011
【図５Ｅ】
2019002084.tif 000012
【図６Ａ】
2019002084.tif 000013
【図６Ｂ】
2019002084.tif 000014
【図７Ａ】
2019002084.tif 000015
【図７Ｂ】
2019002084.tif 000016